(57)【要約】【課題】エレベータの特別利用者の業務をサポートするエレベータ制御装置を提供する。【解決手段】エレベータ制御装置は、エレベータの利用者が所持する記憶媒体と、前記エレベータの乗り場に設けられた情報取得部と、前記情報取得部により読み取られた前記記憶媒体の情報に基づいて行先階を割り当てる制御部を備え、前記制御部は前記情報に含まれる利用者属性が特別利用者である場合、前記エレベータに複数の行先階を割り当てると共に特殊運転を開始することを特徴とするエレベータ制御装置。【選択図】図１
2019178006.tif 000002
【特許請求の範囲】
【請求項１】
エレベータの利用者が所持する記憶媒体と、
前記エレベータの乗り場に設けられた情報取得部と、
前記情報取得部により読み取られた前記記憶媒体の情報に基づいて行先階を割り当てる制御部を備え、
前記制御部は前記情報に含まれる利用者属性が特別利用者である場合、前記エレベータに複数の行先階を割り当てると共に特殊運転を開始することを特徴とするエレベータ制御装置。
【請求項２】
前記特殊運転は最初に前記行先階のうち最上階へ移動することを特徴とする請求項１に記載のエレベータ制御装置。
【請求項３】
前記特殊運転は最上階へ移動後下方向に行先階へ移動することを特徴とする請求項２に記載のエレベータ制御装置。
【請求項４】
前記特殊運転は前記利用者が所定階で乗車するまで待機をすることを特徴とする請求項１から請求項３のいずれか１項に記載のエレベータ制御装置。
【請求項５】
前記特殊運転を実行途中に前記利用者とは別の利用者がエレベータを使用するときは、前記特殊運転を一時中断し、前記別の利用者のエレベータ使用後、前記特殊運転を一時中断時点から再開することを特徴とする請求項１から請求項４のいずれか１項に記載のエレベータ制御装置。
【発明の詳細な説明】
【技術分野】
【０００１】
本発明は、エレベータ制御装置に関する。
【背景技術】
【０００２】
下記特許文献１には、エレベータの各階の乗場及びかご内にカードリーダを設け、カードリーダで読み取られたカードの固有ＩＤに対応する利用可能な階を利用条件テーブルから読み出し、読み出された利用可能な階を指定した乗場呼び操作及びかご呼び操作の受付禁止を解除する技術が開示されている。
【先行技術文献】
【特許文献】
【０００３】
【特許文献１】特開２００８−２８０１１７号公報
【発明の概要】
【発明が解決しようとする課題】
【０００４】
しかし、上記特許文献１の技術では、新聞配達員などは各階でエレベータに乗車するためにカードリーダにカードを読み取らせた上、行先階を登録しなければならない。
【０００５】
新聞配達員がマンションで新聞を配達する際、全ての階床間をエレベータで移動するよりも、一部の階床間を階段で移動した方が早いことがある。例えば、新聞を配達した購読者宅がエレベータから遠く離れていて、かつ、階段が近くにあり、かつ、次の新聞配達の購読者宅が１階床下であるような場合、新聞配達員はエレベータに乗車して１階床下に移動するよりも、階段を使用して１階床下に移動した方が移動距離が短くなることがある。一般人であれば階段を使用するとき上るのに比べて下るのは容易である。
【０００６】
本発明の目的は、エレベータの特別利用者の業務をサポートするエレベータ制御装置を提供する。
【課題を解決するための手段】
【０００７】
本発明のエレベータ制御装置は、
エレベータの利用者が所持する記憶媒体と、
前記エレベータの乗り場に設けられた情報取得部と、
前記情報取得部により読み取られた前記記憶媒体の情報に基づいて行先階を割り当てる制御部を備え、
前記制御部は前記情報に含まれる利用者属性が特別利用者である場合、前記エレベータに複数の行先階を割り当てると共に特殊運転を開始することを特徴とする。
【０００８】
上記エレベータ制御装置によれば、エレベータの特別利用者は所持する記憶媒体によって、一度に複数の行先階が自動登録され、特殊運転でエレベータを使用することが可能になる。つまり、新聞配達員はマンションの複数の新聞購読者宅に新聞を配達する際、複数の行先階を登録する必要はない。
【０００９】
前記エレベータ制御装置では、前記特殊運転は最初に前記行先階のうち最上階へ移動してもよい。
【００１０】
かかる構成によれば、特別利用者は複数の行先階の中から一番高い階に行くことが可能になる。つまり、通常のエレベータの運転方式（セレクティブ・コレクティブ形式）で、上方向に走行するのであれば一番低い階から一番高い階まで順番に停止することになるが、一番高い階まで行くので、階段を使用して他階の新聞購読者宅に新聞を配達するときは階段を下る方向で移動することが可能になる。
【００１１】
前記エレベータ制御装置では、前記特殊運転は最上階へ移動後下方向に行先階へ移動してもよい。
【００１２】
かかる構成によれば、特別利用者は複数の行先階の中から一番高い階から下方向に移動することが可能になる。複数の行先階の中から一番高い階の新聞購読者宅に新聞を配達してから下る方向で新聞購読者宅に新聞を配達することが可能になる。
【００１３】
前記エレベータ制御装置では、前記特殊運転は前記利用者が所定階で乗車するまで待機してもよい。
【００１４】
かかる構成によれば、特別利用者は所定階で降車してから再び乗車するまでエレベータが待機しているのですぐに乗車することが可能になる。
【００１５】
前記エレベータ制御装置では、前記特殊運転を実行途中に前記利用者とは別の利用者がエレベータを使用するときは、前記特殊運転を一時中断し、前記別の利用者のエレベータ使用後、前記特殊運転を一時中断時点から再開してもよい。  
【００１６】
かかる構成によれば、特別利用者がエレベータに乗車すれば特殊運転を継続することが可能になる。
【発明の効果】
【００１７】
以上より、本発明によれば、特別利用者がエレベータに乗車したい階でエレベータが待機しているので、エレベータの特別利用者の業務をサポートするエレベータ制御装置が提供できる。
【図面の簡単な説明】
【００１８】
【図１】本実施形態に係るエレベータ制御装置のブロック図である。
【図２】本実施形態に係るエレベータの乗り場の乗場呼び登録部及び情報取得部の正面図である。
【図３】本実施形態１に係る特別利用者の配達階及びエレベータの停止階である。
【図４】本実施形態１に係るエレベータに移動経路である。
【図５】本実施形態２に係る特別利用者の配達階及びエレベータの停止階である。
【図６】本実施形態２に係るエレベータに移動経路である。
【発明を実施するための形態】
【００１９】
以下、本発明の実施形態について図面を参照して説明する。
【００２０】
図１に示すように、エレベータ制御装置１は、エレベータを制御する制御部１０と、記憶部１４と、入出力インタフェース２０とを備える。また、かご制御装置５は、かご内機器を制御する制御部５０と記憶部５１とかご操作盤４１と入出力インタフェース６０とを備える。
【００２１】
記憶部１４は、例えばＲＡＭ、ＲＯＭ、ＨＤＤ、ＳＳＤ等を利用して構成され、プログラム１５、及び種々のデータ１６を格納している。プログラム１５は、本実施形態のエレベータ制御装置１の各種機能を実現するためのプログラムが含まれる。
【００２２】
制御部１０は、例えばＣＰＵ、ＭＰＵ等を利用して構成される。制御部１０は、記憶部１４から読み出した上記プログラム１５に基づいて種々のデータ等を利用して演算処理を行うことにより、エレベータ制御装置１における後述する各種の機能を実現する。
【００２３】
入出力インタフェース２０は、例えばＬＡＮアダプタ等を利用して構成される。入出力インタフェース２０は、エレベータ制御装置１と、エレベータの乗り場３の情報取得部３０、乗場呼び登録部３１、かご位置表示部３２、映像表示部３３、及びエレベータのかご４のかご制御装置５との間で各種信号を送受信するためのインタフェースである。情報取得部３０は例えばカードリーダーである。
【００２４】
制御部５０は、例えばＣＰＵ、ＭＰＵ等を利用して構成される。制御部５０は、記憶部５１から読み出した上記プログラムに基づいて種々のデータ等を利用して演算処理を行うことにより、かご制御装置５における後述する各種の機能を実現する。
【００２５】
ドアの開閉制御およびかご操作盤４１の各種信号記憶部５１から読み出した上記プログラムに基づいて種々のデータ等を利用して演算処理を行うことにより、エレベータ制御装置１における後述する各種の機能を実現する。
【００２６】
入出力インタフェース６０は、例えばＬＡＮアダプタ等を利用して構成される。入出力インタフェース６０は、エレベータのかご４のかご制御装置５と、エレベータ制御装置１との間で各種信号を送受信するためのインタフェースである。
【００２７】
かご操作盤４１は、利用者の目的階に行くための登録部４２、エレベータドアの開閉を行うための操作部４３、階床や走行方向を表示する表示部４４、利用者に文字や音声で報知する報知部４５を有している。
【００２８】
図２はエレベータの乗り場３の乗場呼び登録部３１及び情報取得部３０の正面図である。
【００２９】
図３は新聞配達員の配達階（図の○）と新聞配達員が所持するＩＤカードを情報取得部３０にかざしたときにエレベータに割り当てられる複数の行先階（図の●）を表している。
つまり、新聞配達員の配達階は４Ｆ、５Ｆ、６Ｆ、８Ｆ、９Ｆ、１０Ｆ、エレベータの行先階は１Ｆ、４Ｆ、５Ｆ、６Ｆ、８Ｆ、９Ｆ、１０Ｆである。
【００３０】
図４はエレベータの移動経路を表している。１回目の移動では１Ｆから１０Ｆまで新聞配達員を乗車させている。２回目の移動では１０Ｆから９Ｆまで新聞配達員を乗車させている。３回目の移動では９Ｆから８Ｆまで新聞配達員を乗車させている。４回目の移動では８Ｆから６Ｆまで新聞配達員を乗車させている。５回目の移動では６Ｆから５Ｆまで新聞配達員を乗車させている。６回目の移動では５Ｆから４Ｆまで新聞配達員を乗車させている。７回目の移動では４Ｆから１Ｆまで新聞配達員を乗車させている。
【００３１】
図４では、新聞配達員はエレベータに割り当てられた複数の行先階の中の最上階１０Ｆに移動している。その後、１０Ｆから９Ｆ、９Ｆから８Ｆ、８Ｆから６Ｆ、６Ｆから５Ｆ、５Ｆから４Ｆ、４Ｆから１Ｆという順序でエレベータに乗車していることを表している。
【００３２】
図５は新聞配達員の配達階（図の○）と新聞配達員が所持するＩＤカードを情報取得部３０にかざしたときにエレベータに割り当てられる複数の行先階（図の●）を表している。
つまり、新聞配達員の配達階は４Ｆ、５Ｆ、６Ｆ、８Ｆ、９Ｆ、１０Ｆ、エレベータの行先階は１Ｆ、４Ｆ、６Ｆ、８Ｆ、１０Ｆである。
【００３３】
図６はエレベータの移動経路を表している。１回目の移動では１Ｆから１０Ｆまで新聞配達員を乗車させている。２回目の移動では１０Ｆから８Ｆまで新聞配達員を乗車させずに移動している。３回目の移動では８Ｆから６Ｆまで新聞配達員を乗車させている。４回目の移動では６Ｆから４Ｆまで新聞配達員を乗車させずに移動している。５回目の移動では４Ｆから１Ｆまで新聞配達員を乗車させている。
【００３４】
図６では、新聞配達員はエレベータに割り当てられた複数の行先階の中の最上階の１０Ｆに移動している。その後、新聞配達員は１０Ｆから８Ｆまでエレベータには乗車していない。１０Ｆから８Ｆまでは階段を使用して移動している。その後、８階から６階までエレベータに乗車している。そして、６Ｆから４Ｆまでエレベータには乗車していない。６Ｆから４Ｆまでは階段を使用して移動している。その後、４階から１階までエレベータに乗車していることを表している。
【００３５】
エレベータは新聞配達員が降車してから再び乗車するまでドアを閉じて待機してもよい。その場合、新聞配達員は所持するＩＤカードを乗場の情報取得部３０にかざしてドアを開いて乗車する。
【００３６】
また、特別利用者以外の利用者がエレベータを使用するときは特殊運転は一時中断される。例えば、図４の４回目の８Ｆから６Ｆに移動後、他の利用者がエレベータを使用した後、エレベータは６Ｆに移動し、新聞配達員がエレベータに乗車すると特殊運転を再開し５回目の６Ｆから５Ｆへ移動する。その後、継続して６回目、７回目を行うことになる。
【００３７】
また、情報取得部３０についてはエレベータの乗り場３に設置されている例で説明したが、エレベータのかご４のかご操作盤４１に情報取得部４６として設置し、情報取得部４６に特別利用者の所持する記憶媒体をかざすと上記同様の特殊運転が開始されるようにしてもよい。
【００３８】
以上のように、新聞配達員が新聞配達を行うことをエレベータがサポートすることで新聞配達員は新聞配達を迅速に行うことが可能になる。また、エレベータが配達階に停止するので新聞配達員が新聞購読者に新聞配達を行うことを忘れることもなくなる。
【符号の説明】
【００３９】
１…エレベータ制御装置、１０，５０…制御部、２０，６０…入出力インタフェース、１４，５１…記憶部、３０…情報取得部、３１…乗場呼び登録部、４…エレベータのかご、５…かご制御装置、３０…かご制御装置、４１…かご操作盤、４２…登録部、４３…操作部、４４…表示部、４５…報知部、４６…情報取得部
【図１】
2019178006.tif 000003
【図２】
2019178006.tif 000004
【図３】
2019178006.tif 000005
【図４】
2019178006.tif 000006
【図５】
2019178006.tif 000007
【図６】
2019178006.tif 000008